(57)【要約】【課題】複雑な折り曲げ順序を一目瞭然とし、更に折り曲げ方法を簡単に理解可能とすると共に作業後に正しく折り曲げられているかを確認可能としたフレキシブルプリント基板を提供する。【解決手段】フレキシブルプリント基板１０１の表面に、フレキシブルプリント基板を折り重ねる順番を示す複数の指標１０２ａ〜１０２ｄを形成する。フレキシブルプリント基板１０１を折り重ねた状態において指標が形成されている面を当該面に交差する方向から目視した際に、指標１０２ａと指標１０２ｂが、指標１０２ｃと指標１０２ｄが、それぞれ隣接して同一方向を向くように、形成される。【選択図】図１
2014127493.tif 000002
【特許請求の範囲】
【請求項１】
複数回の屈曲を行って電子機器に組み込むフレキシブルプリント基板であって、
前記フレキシブルプリント基板の表面に前記フレキシブルプリント基板を屈曲させる順番を示す複数対の指標が形成され、
前記フレキシブルプリント基板を正しい折り重ね方で折り重ねた状態において前記指標が形成されている面を当該面に交差する方向から目視した際に、対応する一対の指標が隣接して同一方向を向くように、前記複数対の指標が形成されることを特徴とするフレキシブルプリント基板。
【請求項２】
前記フレキシブルプリント基板は、前記フレキシブルプリント基板を正しい折り重ね方で折り重ねた際に、前記対応する一対の指標の一方と重なる部分が半透明に形成されていることを特徴とする請求項１に記載のフレキシブルプリント基板。
【請求項３】
前記フレキシブルプリント基板は、前記フレキシブルプリント基板を誤った折り重ね方で折り重ねた際に、前記対応する一対の指標の一方と重なる部分に不透過部が形成されていることを特徴とする請求項２に記載のフレキシブルプリント基板。
【請求項４】
前記フレキシブルプリント基板は、前記フレキシブルプリント基板を正しい折り重ね方で折り重ねた際に、前記対応する一対の指標の一方と重なる部分に切り欠きが形成されていることを特徴とする請求項１に記載のフレキシブルプリント基板。
【請求項５】
前記指標は、配線パターンによって形成される文字であり、
前記フレキシブルプリント基板を正しい折り重ね方で折り重ねた状態において前記文字が印刷されている面を当該面に交差する方向から目視した際に、同じ文字が隣接して同一方向を向くように、前記文字が印刷されることを特徴とする請求項１乃至４のいずれか１項に記載のフレキシブルプリント基板。
【請求項６】
前記指標は、印刷によって形成される記号であり、
前記フレキシブルプリント基板を正しい折り重ね方で折り重ねた状態において前記記号が形成されている面を当該面に交差する方向から目視した際に、同じ記号が隣接して同一方向を向くように、前記記号が印刷されることを特徴とする請求項１乃至４のいずれか１項に記載のフレキシブルプリント基板。
【発明の詳細な説明】
【技術分野】
【０００１】
本発明は、複数回の屈曲が可能なフレキシブルプリント基板に関する。
【背景技術】
【０００２】
近年、カメラ等の電子機器の小型化が進展するに伴い、電子機器に搭載する電子部品を電気的に接続するための配線用の基板として、自由に折り曲げて形を変えて配置することができるフレキシブルプリント基板が多用されている。フレキシブルプリント基板は、そのフレキシブル性を生かして電子機器内を折り曲げて配置される。そのため、電子機器内の様々な場所に配置された電子部品をフレキシブルプリント基板で受けて他の基板へ接続する際に、限られたスペース内にフレキシブルプリント基板をどのように引き回していくかが電子機器の小型化と高機能化に重要な要素となってきている。
【０００３】
上記フレキシブルプリント基板の折り曲げに関しては以下の技術が提案されている（例えば、特許文献１参照）。特許文献１には、フレキシブルプリント基板の折り曲げ線の両側にダミーのパターン部を形成し、そのダミーパターン部をガイドとしてフレキシブルプリント基板の折り曲げ作業を行うことが開示されている。
【先行技術文献】
【特許文献】
【０００４】
【特許文献１】特願平４−８７６５２公報
【発明の概要】
【発明が解決しようとする課題】
【０００５】
上記フレキシブルプリント基板を組み込む電子機器が小型になればなるほど、フレキシブルプリント基板を組み込む際に複雑に折り重ねながら組み込んでいく必要が生じてくる。しかし、フレキシブルプリント基板を適当に引き回していくと、フレキシブルプリント基板の折り曲げを展開した際に基板形状が大きくなり、材取り（基板材料から必要サイズの基板を切り取る加工）を悪化させ、コスト上昇の要因となることがある。そのため、フレキシブルプリント基板の展開形状をコンパクトにまとめて材取りをよくなるように、折り曲げることがある。このような場合、往々にしてフレキシブルプリント基板を複雑に折り重ねていくことがある。
【０００６】
ところが、設計時に意図したフレキシブルプリント基板の折り重ね方が組立て作業者に正確に伝わらず、フレキシブルプリント基板を誤った折り重ね方で折り重ねた結果、うまく組み立てできないことがあった。
【０００７】
特許文献１では、上述したように、折り曲げ位置を示すために折り曲げ線の両側に配線パターンとは異なるダミーのパターンを形成し、ダミーパターンをフレキシブルプリント基板の折り曲げ指標にして作業するという方法をとっている。しかし、この方法では、折り曲げ位置は認識できるが、どのように折り曲げ作業を進めて行けばよいか分からない。また、折り曲げの方向も分からないため誤った方向に折り曲げる恐れがある。また、電子機器内にフレキシブルプリント基板を組み込んだ後にも誤った折り重ねをしているかどうか確認できず、他の部品を組み込む際に初めて誤りに気付くことがある。この場合には、一旦分解して組み替えることになるか、誤った折り曲げに気付かず他の部品を組込んでフレキシブルプリント基板を切断することがあった。
【０００８】
本発明の目的は、折り重ね方が複雑であっても、正しい折り重ね方と正しい折り重ね順序を一目瞭然とし、更に折り重ねたフレキシブルプリント基板の折り作業後に正しく折り重ねられているかをひと目で確認可能にする。
【課題を解決するための手段】
【０００９】
上記目的を達成するため、本発明は、複数回の屈曲を行って電子機器に組み込むフレキシブルプリント基板であって、前記フレキシブルプリント基板の表面に前記フレキシブルプリント基板を屈曲させる順番を示す複数対の指標が形成され、前記フレキシブルプリント基板を正しい折り重ね方で折り重ねた状態において前記指標が形成されている面を当該面に交差する方向から目視した際に、対応する一対の指標が隣接して同一方向を向くように、前記複数対の指標が形成されることを特徴とする。
【発明の効果】
【００１０】
本発明によれば、フレキシブルプリント基板に屈曲させる順番を示す複数の指標を形成すると共に、フレキシブルプリント基板を屈曲させ折り重ねた状態で指標が一対ずつ隣接して同一方向を向く状態に配置する。これにより、フレキシブルプリント基板の複雑な折り曲げ順序が一目瞭然となり、更にフレキシブルプリント基板の折り曲げ方法が簡単に理解できると共に作業後に正しく折り曲げられているかを確認することができる。
【図面の簡単な説明】
【００１１】
【図１】本発明の第１の実施形態に係る電子機器に組み込まれたフレキシブルプリント基板を上方から見た状態を示す図である。
【図２】電子機器に組み込まれたフレキシブルプリント基板を斜め上方から見た状態を示す斜視図である。
【図３】フレキシブルプリント基板の配線パターンと指標を示す図である。
【図４】（ａ）は、フレキシブルプリント基板を電子機器本体に固定した状態を示す図、（ｂ）は、フレキシブルプリント基板の腕部１０４を１８０°折り返した状態を示す図である。（ｃ）は、フレキシブルプリント基板の島部１０３を台座に取り付けた状態を示す図である。
【図５】（ａ）は、フレキシブルプリント基板の島部１０３を回転させながら台座に取り付ける誤った組み込み方法を示す図、（ｂ）は、フレキシブルプリント基板の島部１０３をスライドさせながら台座に取り付ける誤った組み込み方法を示す図である。
【図６】フレキシブルプリント基板に切り欠きを設けた例を示す図である。
【図７】本発明の第２の実施形態に係るフレキシブルプリント基板を示す図であり、（ａ）は、フレキシブルプリント基板の指標としてベタパターンを追加した状態を示す図である。（ｂ）は、フレキシブルプリント基板の島部１０３を紙面手前側に折り返した状態を示す図、（ｃ）は、フレキシブルプリント基板の島部１０３を紙面奥側に折り返した状態を示す図である。
【発明を実施するための形態】
【００１２】
以下、本発明の実施形態を図面を参照しながら詳細に説明する。
【００１３】
〔第１の実施形態〕
まず、本発明の第１の実施形態に係るフレキシブルプリント基板の構成について図１乃至図３を参照しながら説明する。
【００１４】
図１は、本発明の第１の実施形態に係る電子機器に組み込まれたフレキシブルプリント基板を上方から見た状態を示す図である。図２は、電子機器に組み込まれたフレキシブルプリント基板を斜め上方から見た状態を示す斜視図である。図３は、フレキシブルプリント基板の配線パターンと指標を示す図である。
【００１５】
図１乃至図３において、フレキシブルプリント基板１０１は、半透明に形成されると共に折り曲げが可能に構成されており、基板本体と、裏面に補強板が貼り合わされた島部１０３と、基板本体と島部１０３を連結する腕部１０４とを備えている。フレキシブルプリント基板１０１の板面には、配線パターン１１０（図３参照）が形成されると共に、指標１０２ａ、指標１０２ｂ、指標１０２ｃ、指標１０２ｄが銅箔パターンにより形成されている。電子機器を構成する本体（以後、電子機器本体）２０１は、取り付けダボ２０２、取り付けダボ２０３（図４参照）、台座２０４を備えている。
【００１６】
本実施形態では、フレキシブルプリント基板１０１は、複数回の折り曲げを行うことにより折り重ねられ、折り重ねられた状態で電子機器本体２０１に組み込まれる。フレキシブルプリント基板１０１の指標１０２ａ〜１０２ｄは、フレキシブルプリント基板１０１を屈曲させる順番（１、２・・・）を示すものであり、数字として構成されている。
【００１７】
フレキシブルプリント基板１０１を正しい折り重ね方で折り重ねた状態において指標が形成されている面を当該面に交差する方向から目視した際に、対応する同じ数字の指標が隣接して同一方向（少なくともほぼ同一方向）を向く。また、フレキシブルプリント基板１０１は、フレキシブルプリント基板１０１を正しい折り重ね方で折り重ねた際に、対応する一対の指標の一方と重なる部分が半透明に形成されている。これによって、フレキシブルプリント基板１０１を正しい折り重ね方で折り重ねた際に、対応する一対の指標の一方は、フレキシブルプリント基板１０１の半透明部分を透過して目視することができる。
【００１８】
次に、本実施形態のフレキシブルプリント基板１０１を電子機器本体２０１に組み付ける手順について図４を参照しながら説明する。
【００１９】
図４（ａ）は、フレキシブルプリント基板を電子機器本体に固定した状態を示す図、図４（ｂ）は、フレキシブルプリント基板の腕部１０４を１８０°折り返した状態を示す図である。図４（ｃ）は、フレキシブルプリント基板の島部１０３を台座に取り付けた状態を示す図である。
【００２０】
図４（ａ）〜図４（ｃ）において、フレキシブルプリント基板１０１を電子機器本体２０１に組み付ける際に、フレキシブルプリント基板１０１をどのような手順で折り曲げを行いながら組み付けるかを説明する。まず、図４（ａ）に示すように、電子機器本体２０１の取り付けダボ２０２、２０３にフレキシブルプリント基板１０１の位置決め穴を挿入することで、基板本体を電子機器本体２０１に取り付ける。これにより、フレキシブルプリント基板１０１は電子機器本体２０１に固定された状態となる。
【００２１】
図３に示すようにフレキシブルプリント基板１０１が展開された状態において表示されている指標１０２ａ、指標１０２ｂ、指標１０２ｃ、指標１０２ｄは、次のような状態となっている。指標１０２ａ、指標１０２ｂ、指標１０２ｃ、指標１０２ｄは、正しく読むことができる状態になっているものや、透視状態になっているものなど、正常に読めない状態（図３の例では数字「１」の反転数字、数字「２」の反転数字）になっているものもある。
【００２２】
上記のようにフレキシブルプリント基板１０１の位置決め穴を電子機器本体２０１の取り付けダボ２０２、２０３に挿入した後、次に、図４（ｂ）に示すようにフレキシブルプリント基板１０１を基板本体側に１８０°折り返す。これにより、フレキシブルプリント基板１０１の島部１０３は電子機器本体２０１の台座２０４の横に位置する。次に、図４（ｃ）に示すようにフレキシブルプリント基板１０１の島部１０３を反転させて電子機器本体２０１の台座２０４の上に取り付ける。取り付けの詳細は後述する。
【００２３】
ここで、例えば図５（ａ）に示すようにフレキシブルプリント基板１０１の島部１０３を矢印方向に回転させながら、島部１０３を電子機器本体２０１の台座２０４の上に取り付けることもできる。しかし、図５（ａ）のような折り重ね方は正しい折り重ね方ではないため、フレキシブルプリント基板１０１の腕部１０４が正常でない形で捻じれた状態となる。その結果、フレキシブルプリント基板１０１に意図しないせん断力が加わるため、フレキシブルプリント基板１０１に亀裂が生じたり切断してしまったりということが生じる恐れがある。
【００２４】
また、例えば図５（ｂ）に示すようにフレキシブルプリント基板１０１の島部１０３を矢印方向にスライドさせながら、島部１０３を電子機器本体２０１の台座２０４の上に取り付けることもできる。この場合も、誤った折り重ね方となるため、フレキシブルプリント基板１０１が切断したり、フレキシブルプリント基板１０１周辺の部品を組み付けた際にフレキシブルプリント基板１０１に干渉してしまう恐れがある。
【００２５】
そこで、本実施形態では、作業者がフレキシブルプリント基板１０１を電子機器本体２０１に組み付ける際に正しい折り重ね方が分かるように、フレキシブルプリント基板１０１を折り重ねていく順番と場所を指標１０２ａ〜１０２ｄで示している。
【００２６】
指標１０２ａ〜１０２ｄは、フレキシブルプリント基板１０１上に銅箔パターンにより形成されている。指標１０２ａと指標１０２ｂが対となる指標であり、指標１０２ｃと指標１０２ｄが対となる指標である。指標１０２ａと指標１０２ｂは数字の「１」を表示し、指標１０２ｃと指標１０２ｄは数字の「２」を表示している。数字はフレキシブルプリント基板１０１の腕部１０４の屈曲を行う順番を示しており、数字「１」、数字「２」の順番に折り重ねる。なお、数字「１」および数字「２」が配線パターンによって形成される文字に対応する。
【００２７】
指標１０２ｂは数字「１」が反転した状態で表示されている。数字の反転は、指標１０２ｂを指標１０２ａに合わせるように屈曲することを示しており、反転数字を合わせることから、フレキシブルプリント基板１０１を１８０°折り返して（反転させて）屈曲すればいいことが容易に推測できる。即ち、図４（ａ）のＢ１の位置でフレキシブルプリント基板１０１の腕部１０４を基板本体側に１８０°折り返して指標１０２ａの右隣に指標１０２ｂが位置するようにすると、フレキシブルプリント基板１０１は図４（ｂ）に示す形になる。
【００２８】
フレキシブルプリント基板１０１には、フレキシブルプリント基板１０１を正しい折り重ね方で折り重ねた際に、指標１０２ａの一方と重なる部分が半透明に形成されている。このため、フレキシブルプリント基板１０１を折り返して基板本体側に重ねた状態でも指標１０２ａはフレキシブルプリント基板１０１の半透明に形成される部分を透過して目視することができる。図４（ｂ）に示す指標１０２ａはフレキシブルプリント基板１０１の腕部１０４を透かして見えている状態である。この場合、指標１０２ａの数字「１」と指標１０２ｂの数字「１」は同一方向を向いた状態となる。指標１０２ａと指標１０２ｂが同一方向を向いていることから、フレキシブルプリント基板１０１が正しい向きに折り重ねられたことが分かる。
【００２９】
尚、本実施形態では、フレキシブルプリント基板１０１を折り返して基板本体側に重ねた際に指標１０２ａを透過状態で目視が可能な状態に構成しているが、これに限定されるものではない。例えば、フレキシブルプリント基板１０１を正しい折り重ね方で折り重ねた際に、対応する一対の指標の一方と重なる部分に切り欠きを形成してもよい。この場合には、フレキシブルプリント基板１０１を折り重ねたとしても、フレキシブルプリント基板１０１に形成される切り欠きによって対応する一対の指標の一方が露出されるので、一対の指標の一方を目視することができる。
【００３０】
具体的には、図６に示すようにフレキシブルプリント基板１０１に切り欠き１０５を設けておくことで、フレキシブルプリント基板１０１を折り重ねたとしても、切り欠き１０５によって指標１０２ａは目視が可能な状態となる。
【００３１】
また、図４（ｂ）に示すように、フレキシブルプリント基板１０１を折り重ねた際には、指標１０２ｃが表側にくるため、指標１０２ｃを確認することができる。指標１０２ｃに対して、指標１０２ｄ（図４（ｂ）において指標１０２ｄは島部１０３の裏面に貼り合わされた補強板によって見えない状態となっている）を合わせるように、腕部１０４を図４（ｂ）のＢ２の位置で１８０°屈曲させる。
【００３２】
指標１０２ｄも指標１０２ｂと同様に反転されているため、フレキシブルプリント基板１０１の腕部１０４を１８０°折り曲げればよいことが容易に推測できる。腕部１０４を屈曲させて島部１０３を電子機器本体２０１の台座２０４に取り付けると、図４（ｃ）に示すようになる。指標１０２ｄが指標１０２ｃの右隣（図４（ｃ）では上側）に同一方向を向いて配置されていることから、フレキシブルプリント基板１０１が正しい折り重ね方で折り曲げられたことが分かる。
【００３３】
このように、指標１０２ａ〜１０２ｄが示す順番通りにフレキシブルプリント基板１０１を折り重ねれば、フレキシブルプリント基板１０１を誤った折り重ね方で折り重ねることがない。また、フレキシブルプリント基板１０１を電子機器本体２０１に組み込んだ後にフレキシブルプリント基板１０１の上方からそれぞれの指標の状態を確認できるため、容易に折り重ね方で折り重ねているかどうかを視認することができる。
【００３４】
上述したように本実施形態によれば、複数回の屈曲を行って電子機器内に組み込むフレキシブルプリント基板において、フレキシブルプリント基板を折り重ねる順番を示す複数対の指標をフレキシブルプリント基板の表面に形成する。また、フレキシブルプリント基板を正しい折り重ね方で折り重ねた状態において指標が形成されている面を当該面に交差する方向から目視した際に、対応する一対の指標が隣接して同一方向（少なくともほぼ同一方向）を向く状態に配置される。これにより、フレキシブルプリント基板の折り重ね方が複雑であっても、正しい折り重ね方と正しい折り重ね順序が一目瞭然となる。更にフレキシブルプリント基板の折り重ね作業後に正しく折り重ねられているかをひと目で確認することができる。
【００３５】
〔第２の実施形態〕
図７は、本発明の第２の実施形態に係るフレキシブルプリント基板を示す図であり、図７（ａ）は、フレキシブルプリント基板の指標としてグランドのベタパターンを追加した状態を示す図である。図７（ｂ）は、フレキシブルプリント基板の島部１０３を紙面手前側に折り曲げた状態を示す図、図７（ｃ）は、フレキシブルプリント基板の島部１０３を紙面奥側に折り曲げた状態を示す図である。本実施形態では上記第１の実施形態（図１〜図４、図６）と同一機能を果たすものには同一符号を付している。
【００３６】
図７において、フレキシブルプリント基板１０１は、半透明に形成されると共に折り曲げが可能に構成されており、基板本体、島部１０３、腕部１０４を備えている。また、フレキシブルプリント基板１０１の板面には、指標１０２ａ、指標１０２ｂ、指標１０２ｃ、指標１０２ｄ、指標１０２ｅが形成されている。
【００３７】
本実施形態では、フレキシブルプリント基板１０１を誤った重ね方で折り重ねた場合に対して次のような特徴をもたせている。フレキシブルプリント基板１０１の折り重ねた部分に形成されている一対の指標のうち誤った重ね方をした側の指標が隠れる状態に、重ねられる側の指標の近傍に、不透過部を形成している。即ち、図７（ａ）に示すようにフレキシブルプリント基板１０１において指標１０２ａの近傍（紙面で右隣）に指標１０２ｅとして不透過なグランドベタパターン（不透過部）を追加している。
【００３８】
フレキシブルプリント基板１０１を折り曲げる際は図７（ａ）のＢ１の位置で折り曲げるが、その際、屈曲方向として図７（ｂ）と図７（ｃ）の２つの場合が考えられる。図７（ｂ）はフレキシブルプリント基板１０１の島部１０３を紙面手前側（表側）に折り重ねた場合であり、図７（ｃ）はフレキシブルプリント基板１０１の島部１０３を紙面奥側（裏側）に折り重ねた場合である。
【００３９】
フレキシブルプリント基板１０１の島部１０３を図７（ｂ）のように折り重ねると、指標１０２ａ及び指標１０２ｅは腕部１０４の下側になる。しかし、フレキシブルプリント基板１０１は半透明に構成されているため、指標１０２ａも指標１０２ｅも透過して見ることができる。指標１０２ｂの下側に指標１０２ｅが透過して見えるが、指標１０２ｂが上側になっていることから妨げにならず十分視認することができる。これにより、上記第１の実施形態と同様に指標１０２ａと指標１０２ｂが同一方向を向いていること（指標１０２ａと指標１０２ｂの隣接）を確認できるため、フレキシブルプリント基板１０１が正しい折り重ね方で折り重ねられていることを確認できる。
【００４０】
他方、フレキシブルプリント基板１０１の島部１０３を図７（ｃ）のように折り返すと、指標１０２ａと指標１０２ｅが上側になり指標１０２ｂはその下側になる。指標１０２ｅは不透過なグランドベタパターンで形成されているため、指標１０２ｅの下側にある指標１０２ｂを透過して見ることはできない。そのため、指標１０２ａと指標１０２ｂとの隣接を確認できない。これにより、誤った折り重ね方であることが容易に理解できる。
【００４１】
フレキシブルプリント基板１０１を１８０°折り返すときはどちら方向に折り返しても問題ないこともあるが、折り重なる部分を特定したい場合は折り返し方向を特定しなければならない。そのような場合は、本構成を適用することでフレキシブルプリント基板１０１の折り重ね方と折り重ねる順番を簡単に判断することができる。
【００４２】
本実施形態では、フレキシブルプリント基板１０１の指標１０２ｅとしてグランドベタパターンを例に挙げて説明したが、これに限定されるものではない。フレキシブルプリント基板１０１を折り返した際に下側への透過を妨げるものであれば、グランドベタパターンと同様の機能を果たすため、シルク印刷あるいはレジスト塗布あるいは補強板等を指標１０２ｅの該当部分に用いてもよい。また、グランド以外の配線パターンを意図的に指標１０２ｅの該当部分に配置することでも同様の効果が得られるため、独立した特別なパターンを追加するものでなくてもよい。
【００４３】
上述したように本実施形態によれば、上記第１の実施形態と同様に、フレキシブルプリント基板の折り重ね方が複雑であっても、正しい折り重ね方と正しい折り重ね順序が一目瞭然となる。更に、折り重ねたフレキシブルプリント基板の折り重ね作業後に正しく折り重ねられているかをひと目で確認することができる。
【００４４】
〔他の実施形態〕
第１及び第２の実施形態では、フレキシブルプリント基板に形成する指標に数字を用いた場合を例に挙げたが、これに限定されず、指標に文字や記号を用いることも可能である。例えば指標をアルファベットとして構成した場合は、フレキシブルプリント基板を折り重ねる順番はアルファベット順（Ａ、Ｂ、Ｃ・・・）となる。
【００４５】
第１及び第２の実施形態では、フレキシブルプリント基板を組み込む電子機器の種類については言及しなかったが、本発明はカメラ等の各種の電子機器に適用が可能である。
【符号の説明】
【００４６】
１０１  フレキシブルプリント基板
１０２ａ〜１０２ｅ  指標
１０３  島部
１０４  腕部
１０５  切り欠き
２０１  電子機器本体
【図１】
2014127493.tif 000003
【図２】
2014127493.tif 000004
【図３】
2014127493.tif 000005
【図４】
2014127493.tif 000006
【図５】
2014127493.tif 000007
【図６】
2014127493.tif 000008
【図７】
2014127493.tif 000009